(57)【要約】【課題】通常の撮影範囲における所定の部分のみを切り取って撮影を行う際に、画面の切り取り範囲をカメラのファインダ内に十分明るく表示することが可能なカメラの表示光投射光学系を提供する。【解決手段】  発光光源２からの光をペンタプリズム８を介して該プリズム８近傍の焦点板９に導き、焦点板９に設けられた微細プリズム部を照明してファインダ内に焦点検出枠を表示するカメラの表示光投射光学系において、焦点板９における微細プリズム部は、焦点検出エリア表示用の複数のプリズム部A1〜A11と、通常撮影時の撮影範囲における所定部分のみを切り取って撮影を行う際の所定部分の範囲を示す撮影範囲枠表示用の複数のプリズム部B1〜B4とからなり、発光光源２はプリズム部A1〜A11，B1〜B4の個数に対応して複数個備えられている。【選択図】図１
2006084737.tif 000002
【特許請求の範囲】
【請求項１】
発光光源からの光をペンタプリズムを介して該ペンタプリズム近傍に配置された焦点板に導き、該焦点板に設けられている微細プリズム部を照明することでファインダ内に焦点検出枠を表示するカメラの表示光投射光学系において、
前記焦点板における前記微細プリズム部は、焦点検出エリアを表示するための複数の焦点検出枠用プリズム部と、通常撮影時の撮影範囲における所定部分のみを切り取って撮影を行う際の前記所定部分の範囲を示す撮影範囲枠を表示するための複数の撮影範囲枠用プリズム部とからなり、
前記発光光源は、前記焦点検出枠用プリズム部及び前記撮影範囲枠用プリズム部のそれぞれの個数に対応して複数個備えられていることを特徴とするカメラの表示光投射光学系。
【請求項２】
前記複数の撮影範囲枠用プリズム部のうちで前記発光光源からの光路長が長い前記撮影範囲枠用プリズム部を照明する前記発光光源は、他の前記撮影範囲枠用プリズム部を照明する前記発光光源よりも発光強度を大きくしたことを特徴とする請求項１に記載のカメラの表示光投射光学系。
【請求項３】
前記焦点検出枠用プリズム部の一部は、前記撮影範囲枠用プリズム部よりも外側に設けられていることを特徴とする請求項１又は請求項２に記載のカメラの表示光投射光学系。
【請求項４】
前記所定部分のみを切り取って撮影を行う際に、前記撮影範囲枠よりも外側に設けられた焦点検出エリアで焦点検出を行おうとした場合、前記撮影範囲枠が警告表示することを特徴とする請求項３に記載のカメラの表示光投射光学系。
【発明の詳細な説明】
【技術分野】
【０００１】
本発明は、特に自動焦点検出装置を備えた一眼レフカメラ等においてファインダ視野内に焦点検出エリアを表示するためのカメラの表示光投射光学系に関する。
【背景技術】
【０００２】
従来、複数の焦点検出エリアを有するカメラ等に用いられ、ファインダ視野内において焦点検出エリアを示す焦点検出枠を被写体像に重ねて表示するいわゆるスーパーインポーズ表示技術が知られている。また、斯かるスーパーインポーズ表示を行う表示光投射装置としては、焦点検出枠のみでなく、パノラマ撮影を行う際の撮影範囲を示すパノラマフレーム等を液晶に表示し、ペンタプリズムを介して所定面に投射する構成のものが提案されている（例えば、特許文献１を参照。）。
【０００３】
また近年、一眼レフカメラ等の撮像媒体としてＣＣＤ等の電子媒体が主流となっており、この電子媒体の撮像素子数は飛躍的に多くなってきている。またこれに伴い、一画像当たりのデータ量が膨大となるため、画像を読み出す際に長い時間を要してしまうという弊害が生じてきている。そのため、カメラに通常の撮影範囲における所定の部分のみを切り取って撮影を行ういわゆる撮影範囲切り取りモードを設け、該モードが選択された場合には、前記所定の部分のみを切り取って撮影することで画像のデータ量を減らし、画像を読み出す際にはこの少ないデータ量の画像を読み出すことで、読み出し時間の短縮化を図る方法が考えられている。
【特許文献１】「写真工業」1992年10月号64〜67ページ
【発明の開示】
【発明が解決しようとする課題】
【０００４】
ここで、上述の撮影範囲切り取りモードで撮影を行う際の画像の切り取り範囲、即ち前記所定の部分を示す切り取り範囲枠を、上記特許文献１に開示の表示光投射装置を用いて焦点検出枠と同様にスーパーインポーズ表示した場合、液晶を用いているために切り取り範囲枠の表示が暗くなってしまい、特に日中に屋外で撮影を行う際等には十分な視認性を確保できないという問題がある。
【０００５】
そこで本発明は上記問題点に鑑みてなされたものであり、通常の撮影範囲における所定の部分のみを切り取って撮影を行う際に、画面の切り取り範囲をカメラのファインダ内に十分明るく表示することが可能なカメラの表示光投射光学系を提供することを目的とする。
【課題を解決するための手段】
【０００６】
上記課題を解決するために本発明は、
発光光源からの光をペンタプリズムを介して該ペンタプリズム近傍に配置された焦点板に導き、該焦点板に設けられている微細プリズム部を照明することでファインダ内に焦点検出枠を表示するカメラの表示光投射光学系において、
前記焦点板における前記微細プリズム部は、焦点検出エリアを表示するための複数の焦点検出枠用プリズム部と、通常撮影時の撮影範囲における所定部分のみを切り取って撮影を行う際の前記所定部分の範囲を示す撮影範囲枠を表示するための複数の撮影範囲枠用プリズム部とからなり、
前記発光光源は、前記焦点検出枠用プリズム部及び前記撮影範囲枠用プリズム部のそれぞれの個数に対応して複数個備えられていることを特徴とするカメラの表示光投射光学系を提供する。
【０００７】
また本発明のカメラの表示光投射光学系は、
前記複数の撮影範囲枠用プリズム部のうちで前記発光光源からの光路長が長い前記撮影範囲枠用プリズム部を照明する前記発光光源は、他の前記撮影範囲枠用プリズム部を照明する前記発光光源よりも発光強度を大きくしたことを特徴とする。
【０００８】
また本発明のカメラの表示光投射光学系は、
前記焦点検出枠用プリズム部の一部は、前記撮影範囲枠用プリズム部よりも外側に設けられていることを特徴とする。
【０００９】
また本発明のカメラの表示光投射光学系は、
前記所定部分のみを切り取って撮影を行う際に、前記撮影範囲枠よりも外側に設けられた焦点検出エリアで焦点検出を行おうとした場合、前記撮影範囲枠が警告表示することを特徴とする。
【発明の効果】
【００１０】
本発明によれば、通常の撮影範囲における所定の部分のみを切り取って撮影を行う際に、画像の切り取り範囲枠をカメラのファインダ内に十分明るく表示することが可能なカメラの表示光投射光学系を提供することができる。
【発明を実施するための最良の形態】
【００１１】
以下、添付図面に基づいて本発明の実施の形態を説明する。
本発明の実施の形態に係るカメラの表示光投射光学系は、画像当たりのデータ量の膨大化を防ぐことで再生読み出し時間の短縮化を図るために通常撮影時の撮影範囲における中央部分のみを切り取って撮影する（詳細には中央部分以外のデータを切り捨てて中央部分の画像データのみを保存する）いわゆる撮影範囲切り取りモードを設けたカメラに用いられ、前記中央部分の範囲を示す枠（切り取り撮影範囲枠）を焦点検出枠とともにファインダ内に表示するための光学系である。
【００１２】
図１は本発明の実施の形態に係るカメラの表示光投射光学系の構成を示す図である。また図２は、本発明の実施の形態に係るカメラの表示光投射光学系の要部斜視図である。
基板１上には、図２に示すようにチップ型発光ダイオード光源２が、後述する焦点板９に形成された各微細プリズム領域に１対１で対応するように１５個配置されている。各チップ型発光ダイオード光源２から発した光は、光透過性基板３に入射する。光透過性基板３は拡散性樹脂からなり、各チップ型発光ダイオード光源２の配列に対応して半球形状のレンズ４が射出面側に設けられている。
【００１３】
斯かる構成により、各チップ型発光ダイオード光源２から点光源として発せられた光は、光透過性平板３を透過することで拡散され、そして該光透過性平板３の射出面側に設けられている半球形状のレンズ４によって集光されて、遮光板５を照射する。
【００１４】
遮光板５は、図２に示すように前記各半球形状のレンズ４の位置に対応して設けられた１５個の開口部６を有する。これにより、遮光板５の開口部６の近傍に擬似的な面光源を形成することができ、投射むらを軽減することができる。
【００１５】
なお、本実施の形態では、光透過性平板３全体が拡散性機能を有しているが、これに限られず、例えば光透過性平板を使用波長に対して透明な基板で構成し、そのチップ型発光ダイオード光源２側の面に光を拡散するような面を設ける構成とすることもできる。
【００１６】
遮光板５の開口部６を通過した光は、図２に示すような３つの光学ブロックからなる光学ブロックユニット７に入射し、光学ブロック内で反射されてペンタプリズム８へ向かって射出される。なお、各光学ブロックの入射面には、遮光板５の開口部６を通過した光を各光学ブロックの射出面の中央付近に導くために所定の曲率が設けられている。これにより、チップ型発光ダイオード光源２からの光を効率良くペンタプリズム８へ導くことができる。また、光学ブロックどうしの接着面には、迷光を防止するために黒色の塗料が塗布されている。
【００１７】
そして、光学ブロックユニット７からの光は、ペンタプリズム８へ前頭部８ａから入射する。ペンタプリズム８内部を進行する光は底面から射出されて、表示板９へ入射する。
表示板９の下面には図３に示すように、ファインダ内に焦点検出枠を表示するための微細プリズムA1〜A11と、切り取り撮影範囲枠を表示するための微細プリズム領域B1〜B4とが形成されている。ここで焦点検出枠とは、カメラに備えられた自動焦点検出装置によって焦点検出を行う際の焦点検出エリアをファインダ内に示すものである。また、切り取り撮影範囲枠とは、上述のように通常の撮影範囲における中央部分のみを切り取って撮影を行う際の前記中央部分の範囲を示すものである。
【００１８】
斯かる構成の焦点板９に入射した光は、各微細プリズム領域を照射し、該微細プリズム領域によって反射される。詳細には、各微細プリズム領域を照射する光は、該領域よりもやや広い範囲を照射し、微細プリズム領域に入射した光のみがペンタプリズム８側へ反射されて、それ以外の光は表示板９の下面を透過して廃棄される。
【００１９】
各微細プリズム領域によって反射された光は、焦点板９の上面を透過して再度ペンタプリズム８へ入射する。そして、ペンタプリズム８内部で２回反射されてペンタプリズム８から射出され、ファインダ光学系１０へ入射しさらに当該ファインダ光学系１０を介してアイポイント１１へ到達する。
【００２０】
上述のように、チップ型発光ダイオード光源２は焦点板９の各微細プリズム領域にそれぞれ１対１で対応するように基板１上に１５個設けられているため、微細プリズム領域A1〜A11，B1〜B4は、各チップ型発光ダイオード光源２によってそれぞれ個別に照明することができる。このようにしてファインダ内には、図４に示すように１１個の焦点検出枠a1〜a11と、４個の枠部b1〜b4からなる切り取り撮影範囲枠（b1〜b4）とが表示されることとなる。
【００２１】
以上の構成の下、本発明の実施の形態に係る表示光投射光学系のさらなる特徴部分について説明する。
本実施の形態に係るカメラの表示光投射光学系において、切り取り撮影範囲枠（b1〜b4）は、チップ型発光ダイオード光源２から焦点板９における微細プリズム領域までの光路長が短い枠部b1，b3は明るく表示され、光路長が長い枠部b2，b4は枠部b1，b3に比べて暗くなる。このため本実施の形態では、枠部b2，b4を表示するためのチップ型発光ダイオード光源２の発光強度を強く設定している。これにより、全ての枠部を均一に明るく表示することができる。
【００２２】
また本実施の形態に係るカメラの表示光投射光学系は、図４に示すように切り取り撮影範囲枠（b1〜b4）よりも外側に２つの焦点検出枠a10，a11を設けることで、通常撮影の際に画面の左右の端付近にピントを合わせて撮影を行うことができる。一方、撮影範囲切り取りモードで撮影を行う際には、外側の焦点検出枠a10，a11は不図示の制御部によって使用が禁止されるように構成されている。またさらに、外側の焦点検出枠a10，a11を選択しようとした場合、同じく前記制御部によって切り取り撮影範囲枠（b1〜b4）が点滅表示され、使用者に注意を促すように構成されている。
【００２３】
以上、本実施の形態に係るカメラの表示光投射光学系は、撮影範囲切り取りモードで撮影を行う際の切り取り撮影範囲枠を焦点検出枠とともにファインダ内に表示することができ、特にチップ型発光ダイオード光源を用いることによって切り取り撮影範囲枠を明るく視認性良好に表示することができる。
【図面の簡単な説明】
【００２４】
【図１】本発明の実施の形態に係るカメラの表示光投射光学系の構成を示す図である。
【図２】本発明の実施の形態に係るカメラの表示光投射光学系の要部斜視図である。
【図３】焦点板に設けられた微細プリズム領域を示す図である。
【図４】ファインダ内に表示される焦点検出枠及び切り取り撮影範囲枠を示す図である。
【符号の説明】
【００２５】
２      チップ型発光ダイオード光源
８      ペンタプリズム
９      焦点板
A1〜A11 焦点検出枠用の微細プリズム領域
B1〜B4  切り取り撮影範囲枠用の微細プリズム領域
a1〜a11 焦点検出枠
b1〜b4  切り取り撮影範囲枠を構成する枠部
【図１】
2006084737.tif 000003
【図２】
2006084737.tif 000004
【図３】
2006084737.tif 000005
【図４】
2006084737.tif 000006